(57)【要約】【課題】  使用形態に応じて必要な情報のみを入出力する。【解決手段】  携帯電話機は、第１のネットワークに接続し、第１のネットワークに接続された装置と通信するための無線回路２２と、第１のネットワークとは異なる第２のネットワークに接続し、第２のネットワークに接続された装置と通信するための無線ＬＡＮ回路２３と、無線回路２２および無線ＬＡＮ回路２３を能動化可能な第１設定モードと無線回路２２および無線ＬＡＮ回路２３のうち無線回路のみを能動化可能な第２設定モードとのいずれか一方に切り換える設定モード切換部２１と、を備える。【選択図】  図３
2011176863.tif 000002
【特許請求の範囲】
【請求項１】
複数のローカルエリアネットワークのいずれか１つに接続し、該接続されたローカルエリアネットワークに接続された装置と通信するための通信手段と、
前記複数のローカルエリアネットワーク各々に対応するアプリケーションプログラムを記憶するアプリケーションプログラム記憶手段と、
前記複数のローカルエリアネットワークのうちからいずれか１つの選択を受け付ける選択受付手段と、
前記選択受付手段により前記複数のローカルエリアネットワークのうちからいずれか１つが選択されることに応じて、該選択されたローカルエリアネットワークに対応するアプリケーションプログラムを実行するアプリケーションプログラム起動手段と、を備えた、携帯通信端末。
【請求項２】
複数のローカルエリアネットワークのいずれか１つに接続し、該接続されたローカルエリアネットワークに接続された装置と通信するための通信手段と、前記複数のローカルエリアネットワーク各々に対応するアプリケーションプログラムを記憶するアプリケーションプログラム記憶手段とを備えた携帯通信端末で実行されるネットワーク切換方法であって、
前記複数のローカルエリアネットワークのうちからいずれか１つの選択を受け付けるステップと、
前記複数のローカルエリアネットワークのうちからいずれか１つが選択されることに応じて、該選択されたローカルエリアネットワークに対応するアプリケーションプログラムを実行するステップと、を含むネットワーク切換方法。
【発明の詳細な説明】
【技術分野】
【０００１】
この発明は携帯通信端末およびモード切換方法に関し、特に無線ＬＡＮに接続可能な携帯通信端末およびその携帯通信端末で実行されるモード切換方法に関する。
【背景技術】
【０００２】
近年、無線通信を利用したローカルエリアネットワーク（以下「無線ＬＡＮ」という）が普及しており、無線ＬＡＮに接続した無線通信端末をＩＰ（インターネットプロトコル）電話機として利用することが可能である。従来の携帯電話機は、電話事業者が提供するネットワークに無線接続して通話等する通信機能を備えているが、その通信機能に加えて、無線ＬＡＮに無線接続して通信する機能を搭載し、携帯電話機をＩＰ電話機として利用することが可能である。しかしながら、全ての携帯電話機をＩＰ電話機として機能させる必要はなく、携帯電話機のユーザの希望により、ＩＰ電話機として機能させるか否かを選択可能な携帯電話機が望まれる。
【０００３】
携帯電話機は、電話帳機能を有し、通信相手の電話機に発呼するための電話番号と、通信相手の氏名等とを関連付けた電話帳データを記憶している。この電話帳データを用いれば、通信相手の電話機に割当てられた電話番号を覚える必要がなく便利である。携帯電話機をＩＰ電話機として機能させる場合、無線ＬＡＮに接続可能な他のＩＰ電話機に発呼するためには、そのＩＰ電話機に割当てられた電話番号に発呼する必要があるが、この電話番号は、電話事業者が携帯電話機に割当てたそれとは異なる。このため、電話帳データは、携帯電話に割当てられた電話番号とＩＰ電話機に割当てられた電話番号（以下「内線番号」という）とを別々に記憶する必要がある。
【０００４】
携帯電話機とＩＰ電話機とを利用可能な携帯電話機ではないが、２つの種類の電話番号を１つの電話帳データに記憶する情報処理装置が、特開平１０−１２６８５１号公報（特許文献１）に記載されている。特開平１０−１２６８５１号公報に記載の情報処理装置は、少なくとも公衆モードとトランシーバモードの２つの通話モードを有する電話機能を備えた情報処理装置において、上記公衆モードで使用する通常の電話番号と上記トランシーバモードで使用する内線番号とを氏名に対応付けて記憶する記憶手段と、通話相手の氏名を指定する指定手段と、この指定手段によって指定された通話相手の氏名に対応する内線番号が上記記憶手段に記憶されているか否かを判断する内線番号判断手段と、この内線番号判断手段の結果、上記通話相手の氏名に対応する内線番号が上記記憶手段に記憶されている場合には上記トランシーバモードに切り替え、上記通話相手の氏名に対応する内線番号を上記記憶手段から読み出し、その内線番号を発呼し、上記通話相手の氏名に対応する内線番号が上記記憶手段に記憶されていない場合には上記公衆モードに切り替え、上記通話相手の氏名に対応する通常の電話番号を上記記憶手段から読み出し、その電話番号を発呼する通話モード切り替え手段とを具備したことを特徴とする。
【０００５】
しかしながら、ＩＰ電話機としても利用可能な携帯電話機に従来の情報処理装置を適用したとしても、次の問題が発生する。すなわち、携帯電話機のユーザが、携帯電話機をＩＰ電話機として機能させることを望まない場合に、ＩＰ電話機に割当てられた電話番号を表示しても、不要な情報が表示されてしまうといった問題がある。特に、携帯電話機は、小型であるため表示画面の大きさが制限されるので、不要な情報は表示しないようにするのが好ましい。
【０００６】
また、携帯電話機を無線ＬＡＮに接続して通信するためのプロトコルは、ＯＳＩ階層モデルの下位の階層においては標準化されているが、上位の階層においては複数種類の無線
ＬＡＮで異なる場合があるといった問題がある。
【先行技術文献】
【特許文献】
【０００７】
【特許文献１】開平１０−１２６８５１号公報
【発明の概要】
【発明が解決しようとする課題】
【０００８】
この発明は上述した問題点を解決するためになされたもので、この発明の目的の一つは、接続可能なネットワークを容易に切り換えることが可能な携帯通信端末を提供することである。
この発明の他の目的は、使用形態に応じて必要な情報のみを入出力することが可能な携帯通信端末を提供することである。
【０００９】
この発明のさらに他の目的は、複数の無線ＬＡＮに容易に接続可能な携帯通信端末を提供することである。
【００１０】
この発明のさらに他の目的は、携帯通信端末が接続可能なネットワークを容易に切り換えることが可能な携帯通信端末のモード切換方法を提供することである。
【課題を解決するための手段】
【００１１】
この発明は上述した目的を達成するためになされたもので、この発明のある局面に従えば、携帯通信端末は、第１のネットワークに接続し、第１のネットワークに接続された装置と通信するための第１の通信手段と、第１のネットワークとは異なる第２のネットワークに接続し、第２のネットワークに接続された装置と通信するための第２の通信手段と、第１および第２の通信手段を能動化可能な第１設定モードと第１および第２の通信手段のうち第１の通信手段のみを能動化可能な第２設定モードとのいずれか一方に切り換える切換手段と、を備える。
【００１２】
この局面に従えば、第１設定モードに切り換えられているときは、第１のネットワークまたは第２のネットワークに接続された装置と通信が可能であり、第２設定モードに切り換えられているときは、第１のネットワークに接続された装置とのみ通信が可能である。このため、設定モードを切り換えるだけで、接続可能なネットワークを制限することができる。その結果、接続可能なネットワークを容易に切り換えることが可能な携帯通信端末を提供することができる。
【００１３】
好ましくは、第１のネットワークに接続された装置と通信するために該装置を識別するための第１通信先情報を記憶する領域と、第２のネットワークに接続された装置と通信するために該装置を識別するための第２通信先情報を記憶する領域とを含む通信先情報記憶手段と、第１および第２設定モードのいずれに切り換えられているかに基づいて、通信先情報記憶手段に記憶されている第１および第２通信先情報の入出力を制御する入出力制御手段と、をさらに備える。
【００１４】
この発明に従えば、第１のネットワークに接続された装置と通信するために該装置を識別するための第１通信先情報と、第２のネットワークに接続された装置と通信するために該装置を識別するための第２通信先情報とが記憶され、第１および第２設定モードのいずれに切り換えられているかに基づいて、第１および第２通信先情報の入出力が制御される。このため、使用形態に応じて必要な情報のみを入出力することが可能な携帯通信端末を提供することができる。
【００１５】
好ましくは、入出力制御手段は、第１設定モードに切り換えられているときは、第１および第２通信先情報のうち第１および第２通信先情報を表示し、第２設定モードに切り換えられているときは、第１および第２通信先情報のうち第１通信先情報のみを表示する表示手段を含む。
【００１６】
好ましくは、入出力制御手段は、第１設定モードに切り換えられているときは、第１および第２通信先情報の少なくとも１つの変更を受け付け、第２設定モードに切り換えられているときは、第１および第２通信先情報のうち第１通信先情報のみの変更を受け付ける変更受付手段と、変更受付手段により受け付けられた変更に従って、通信情報記憶手段に記憶されている第１および第２通信先情報を変更する変更手段と、を含む。
【００１７】
好ましくは、変更手段は、第２設定モードに切り換えられているときは、受け付けられた変更に従って第１通信情報を変更するとともに、該第１通信情報に関連する第２通信情報を消去する消去手段を含む。
【００１８】
好ましくは、入出力制御手段は、第１設定モードに切り換えられているときに、第１および第２通信先情報の少なくとも１つの追加を受け付け、該受け付けられた第１および第２通信先情報の少なくとも１つを通信情報記憶手段に追加して記憶する第１登録手段と、第２設定モードに切り換えられているときに、第１および第２通信先情報のうち第１通信先情報のみの追加を受け付け、該受け付けられた第１通信先情報を通信情報記憶手段に追加して記憶する第２登録手段と、を含む。
【００１９】
好ましくは、外部の装置と通信するための第３通信手段をさらに備え、入出力制御手段は、第３通信手段を制御して、第１設定モードに切り換えられているときに、第１および第２通信先情報のうち第１および第２通信先情報を外部の装置に送信し、第２設定モードに切り換えられているときに、第１および第２通信先情報のうち第１通信先情報のみを外部の装置に送信する送信手段と、を含む。
【００２０】
好ましくは、第１のネットワークは、通信事業者が提供する通信網であり、第２のネットワークは、無線ＬＡＮ（Ｌｏｃａｌ  Ａｒｅａ  Ｎｅｔｗａｏｒｋ）である。
【００２１】
この発明の他の局面によれば、携帯通信端末は、複数のローカルエリアネットワークのいずれか１つに接続し、該接続されたローカルエリアネットワークに接続された装置と通信するための通信手段と、複数のローカルエリアネットワーク各々に対応するアプリケーションプログラムを記憶するアプリケーションプログラム記憶手段と、複数のローカルエリアネットワークのうちからいずれか１つの選択を受け付ける選択受付手段と、選択受付手段により複数のローカルエリアネットワークのうちからいずれか１つが選択されることに応じて、該選択されたローカルエリアネットワークに対応するアプリケーションプログラムを実行するアプリケーションプログラム起動手段と、を備える。
【００２２】
この局面に従えば、複数のローカルエリアネットワークのうちからいずれか１つの選択が受け付けられると、選択された第２のネットワークに対応するアプリケーションプログラムが実行されるので、複数のローカルエリアネットワークにおいて通信プロトコルが異なっていても、それぞれに対応するアプリケーションプログラムを記憶するようにすればよい。その結果、複数の無線ＬＡＮに容易に接続可能な携帯通信端末を提供することができる。
【００２３】
この発明のさらに他の局面によれば、モード切換方法は、第１のネットワークに接続し、第１のネットワークに接続された装置と通信するための第１の通信手段と、第１のネットワークとは異なる第２のネットワークに接続し、第２のネットワークに接続された装置
と通信するための第２の通信手段とを備えた携帯通信端末で実行されるモード切換方法であって、第１および第２の通信手段を能動化可能な第１設定モードと第１および第２の通信手段のうち第１の通信手段のみを能動化可能な第２設定モードとのいずれか一方に切り換えるステップを含む。
【００２４】
この局面に従えば、携帯通信端末が接続可能なネットワークを容易に切り換えることが可能なモード切換方法を提供することである。
【図面の簡単な説明】
【００２５】
【図１】本実施の形態における通信システムの概要を示す図である。
【図２】本発明の実施の形態の一つにおける携帯電話機の外観を示す斜視図である。
【図３】本実施の形態における携帯電話機の機能の一例を示す機能ブロック図である。
【図４】携帯電話機の制御部の機能の概要を示す機能ブロック図である。
【図５】ＥＥＰＲＯＭの記憶領域の一例を示す図である。
【図６】アドレス帳データのフォーマットの一例を示す図である。
【図７】通信制御処理の流れの一例を示すフローチャートである。
【図８】アドレス帳データ表示変更処理の流れの一例を示すフローチャートである。
【図９】第１設定モードにおけるアドレス帳データ表示画面の一例を示す図である。
【図１０】第２設定モードにおけるアドレス帳データ表示画面の一例を示す図である。
【図１１】アドレス帳データ追加処理の流れの一例を示すフローチャートである。
【図１２】アドレス帳データ転送処理の流れの一例を示すフローチャートである。
【図１３】第２の実施の形態におけるＥＥＰＲＯＭの記憶領域の一例を示す図である。
【図１４】第２の実施の形態におけるアドレス帳データのフォーマットの一例を示す図である。
【図１５】通信制御処理の流れの一例を示す別のフローチャートである。
【図１６】第１設定モードにおけるアドレス帳データ表示画面の一例を示す別の図である。
【発明を実施するための形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
＜第１の実施の形態＞
図１は、本実施の形態における通信システムの概要を示す図である。図１を参照して、通信システム１０は、携帯電話システム２００と、無線ＬＡＮシステム３００とを含む。携帯電話システム２００は、通信事業者が提供するシステムであり、ここではその一例として、通信網２０２と、その通信網２０２に接続された基地局装置２０１と、基地局装置２０１と無線通信する携帯電話機１とを含む。ここでは、説明のために１つの基地局装置２０１を示しているが、台数は１以上あればよく台数を限定するものではない。基地局装置２０１は、通信網２０２の中継器として機能する無線局装置である。携帯電話機１は、基地局装置２０１の通信可能領域に位置するときに、基地局装置２０１と無線通信して、通信網２０２に接続される。ここでは、通信事業者が提供する通信網２０２を第１のネットワークと呼ぶ。
【００２７】
無線ＬＡＮシステム３００は、携帯電話機１と、３台のアクセスポイント（ＡＰ）１００〜１０２と、ＶｏＩＰ（Ｖｏｉｃｅ  Ｉｎｔｅｒｎｅｔ  Ｐｒｏｔｏｃｏｌ）サーバ１１２と、ゲートウェイ（Ｇ／Ｗ）１１１とを含む。ＡＰ１００〜１０２と、ＶｏＩＰサーバ１１２と、Ｇ／Ｗ１１１とは、ＬＡＮケーブル１１０にそれぞれ接続され、それらによって互いにデータの送受信が可能な第２のネットワークを構成する。ここでは、説明のために３台のアクセスポイント１００〜１０２を示しているが、台数は１以上あればよく台数を限定するものではない。アクセスポイント１００〜１０２は、ＬＡＮの中継器として機能する無線局装置である。携帯電話機１は、アクセスポイント１００〜１０２のいずれか１つと無線通信することが可能であり、アクセスポイント１００〜１０２のいずれか１つと無線通信すると、携帯電話機１が第２のネットワークに接続され、ＶｏＩＰサーバ１１２、Ｇ／Ｗ１１１と通信することが可能となる。
【００２８】
第２のネットワークは、Ｇ／Ｗ１１１を介して、インターネット１１５と接続される。このため、携帯電話機１は、第２のネットワークに接続されている間、インターネット１１５に接続されたコンピュータ１１６と通信することが可能となる。
【００２９】
アクセスポイント１００〜１０２は、通常は地上に固定して設置され、それぞれ通信可能領域が定まる。携帯電話機１は、アクセスポイント１００の通信可能領域１００Ａ内に位置するときに、アクセスポイント１００と無線通信することができるが、通信可能領域１００Ａの外に位置するときにはアクセスポイント１００と無線通信することができない。携帯電話機１は、アクセスポイント１０１の通信可能領域１０１Ａ内に位置するときに、アクセスポイント１０１と無線通信することができるが、通信可能領域１０１Ａの外に位置するときにはアクセスポイント１０１と無線通信することができない。携帯電話機１は、アクセスポイント１０２の通信可能領域１０２Ａ内に位置するときに、アクセスポイント１０２と無線通信することができるが、通信可能領域１０２Ａの外に位置するときにはアクセスポイント１０２と無線通信することができない。
【００３０】
アクセスポイント１００の通信可能領域１００Ａと、アクセスポイント１０１の通信可能領域１０１Ａと、アクセスポイント１０２の通信可能領域１０２Ａとは、３つが重なっている領域と、２つが重なっている領域と、重なっていない領域とが存在する。携帯電話機１が図１に示す位置に存在するとき、その位置はアクセスポイント１００〜１０２の通信可能領域１００Ａ〜１０２Ａのすべてが重なる領域に含まれる。このため、携帯電話機１は、アクセスポイント１００〜１０２のいずれとも無線通信することが可能である。携帯電話機１が、アクセスポイント１００〜１０２のいずれかと通信する場合、例えば、ＳＳＩＤ（Ｓｅｒｖｉｃｅ  Ｓｅｔ  Ｉｄｅｎｔｉｆｉｅｒ）、ＥＳＳＩＤ（Ｅｘｔｅｎｄｅｄ  ＳＳＩＤ）等の識別子が用いられる。これにより、携帯電話機１は、通信可能領域１００Ａ〜１０２Ａが重なる領域内に位置していてもアクセスポイント１００〜１０２のうちから携帯電話機１が選択した１つと無線通信することができる。
【００３１】
ＶｏＩＰサーバ１１２は、携帯電話機１と、第２のネットワークに接続された相手方装置との間の通信を仲介する。相手方装置は、第２のネットワークに接続されたコンピュータと、ＩＰ電話機と、アクセスポイント１００〜１０２のいずれかと通信する別の携帯電話機とを含む。ＶｏＩＰサーバ１１２は、予め携帯電話機１を識別するための装置識別情報と、その携帯電話機１に予め割当てられた内線番号とを関連付けたユーザテーブルを記憶しており、携帯電話機１が第２のネットワークに接続された段階で、その携帯電話機１に割当てられたＩＰアドレスと、携帯電話機１に割当てられた内線番号とを関連付ける。例えば、第１の携帯電話機に、第１の装置識別情報および第１の内線番号が割当てられており、第２の携帯電話機に第２の装置識別情報および第２の内線番号が割当てられている場合について説明する。第１の携帯電話機は、第２のネットワークに接続されると、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバにより第１のＩＰアドレスが割当てられ、ＤＨＣＰサーバから第１のＩＰアドレスを取得する。その後、第１の携帯電話機が第１のＩＰアドレスをＶｏＩＰサーバ１１２に登録要求すると、ＶｏＩＰサーバ１１２は、第１の内線番号と第１のＩＰアドレスとを関連付ける。同様に第２の携帯電話機は、第２のネットワークに接続されると、ＤＨＣＰサーバにより第２のＩＰアドレスが割当てられ、ＤＨＣＰサーバから第２のＩＰアドレスを取得する。その後、第２の携帯電話機が第２のＩＰアドレスをＶｏＩＰサーバ１１２に登録要求すると、ＶｏＩＰサーバ１１２は、第２の内線番号と第２のＩＰアドレスとを関連付ける。第１の携帯電話機１は、第２の内線番号をＶｏＩＰサーバ１１２に送信すれば、ＶｏＩＰサーバは、第１および第２の携帯電話機との間を仲介して、第１および第２の携帯電話機との間でＩＰパケットを送受信する通信を可能とする。これにより、第１および第２の携帯電話機それぞれがＩＰ電話機として機能し、通話が可能となる。また、第１の携帯電話機が、第２の内線番号をＶｏＩＰサーバ１１２に送信して、ＶｏＩＰサーバから第２の携帯電話機に割当てられた第２のＩＰアドレスを取得し、第１の携帯電話機と第２の携帯電話機との間で直接ＩＰパケットを送受信するようにしてもよい。
【００３２】
図２は、本発明の実施の形態の一つにおける携帯電話機の外観を示す斜視図である。図２（Ａ）は、オープンスタイルの携帯電話機の外観を示し、図２（Ｂ）はクローズスタイルの携帯電話機の外観を示す。図２（Ａ）および図２（Ｂ）を参照して、携帯電話機１は、操作側部３と、表示側部２とを含む。操作側部３は、電源キー１４Ａ、テンキーおよび通話キー等を含む操作キー１４と、マイク１３とが内側面に配置され、マイク端子１６およびイヤホン端子１７が右側面に配置される。表示側部２は、液晶表示装置（ＬＣＤ）１５と、レシーバを構成する第１スピーカ１１と、カメラ２４とが内側面に配置され、カメラ２４Ａと、小型ＬＣＤ１５Ａと、第２スピーカ１２とが外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００３３】
図３は、本実施の形態における携帯電話機の機能の一例を示す機能ブロック図である。図３を参照して、携帯電話機１は、携帯電話機１の全体を制御するための制御部２１と、アンテナ２２Ａと接続された無線回路２２と、アンテナ２３Ａと接続された無線ＬＡＮ回路２３と、音声データを処理するためのコーデック部２８と、コーデック部２８の入出力を切換えるための切換部２９と、それぞれが切換部２９に接続されたマイク１３、第１スピーカ１１、第２スピーカ１２、マイク端子１６およびイヤホン端子１７と、カメラ２４と、ユーザの操作の入力を受付ける操作キー１４と、赤外線通信部１９と、通信インターフェース（Ｉ／Ｆ）２６と、ＬＣＤ１５の表示を制御するための表示制御部３０と、制御部２１で実行するためのプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、アドレス帳データ、電子メール等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、カードインターフェース（Ｉ／Ｆ）２７とを含む。
【００３４】
無線回路２２は、通信網２０２に接続された基地局装置２０１と無線通信する。基地局装置２０１がアンテナから送信する無線信号は、アンテナ２２Ａにより受信される。無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。アンテナ２２Ａから送信される無線信号は、基地局装置２０１のアンテナで受信され、基地局装置２０１に入力される。
【００３５】
無線ＬＡＮ回路２３は、アクセスポイント１００〜１０２のいずれか１つと無線通信する。アクセスポイント１００〜１０２のいずれかが送信する無線信号は、アンテナ２３Ａにより受信される。無線ＬＡＮ回路２３は、アンテナ２３Ａにより受信された無線信号が入力され、無線信号を復調した音声信号をコーデック部２８に出力する。また、無線ＬＡＮ回路２３は、コーデック部２８から音声信号が入力され、音声信号を変調した無線信号をアンテナ２３Ａに出力する。アンテナ２３Ａから送信される無線信号は、アクセスポイント１００〜１０２のいずれかで受信される。
【００３６】
コーデック部２８は、無線回路２２または無線ＬＡＮ回路２３から入力される音声信号を復号し、復号したデジタルの音声信号をアナログに変換し、増幅し、そして切換部２９に出力する。また、コーデック部２８は、切換部２９を介してマイク１３またはマイク端子１６からアナログの音声信号が入力され、音声信号をデジタルに変換し、符号化し、そして符号化した音声信号を無線回路２２または無線ＬＡＮ回路２３に出力する。
【００３７】
切換部２９は、制御部２１により制御され、コーデック部２８への音声信号の入出力を切換える。切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００３８】
切換部２９は、マイク１３またはマイク端子１６のいずれかが出力する音声信号をコーデック部２８に出力する。切換部２９は、マイク端子１６にマイクが接続されている場合は、マイク端子１６から受け付けた音声信号をコーデック部２８に出力し、マイク端子１６にマイクが接続されていない場合は、マイク１３から受け付けた音声信号をコーデック部２８に出力する。
【００３９】
表示制御部３０は、制御部２１により制御され、制御部２１から入力される指示に従ってＬＣＤ１５を制御して、ＬＣＤ１５に操作画面または画像を表示させる。ＬＣＤ１５に表示させる画像は、動画像と静止画像とを含む。
【００４０】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。また、携帯電話機１をインターネットに無線回路２２または無線ＬＡＮ回路２３を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム、圧縮処理されたプログラム、暗号化されたプログラム等を含む。
【００４１】
カメラ２４は、レンズおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１５に表示させる、または、圧縮符号化方式で静止画データまたは動画データを符号化して、ＥＥＰＲＯＭ３４またはカードＩ／Ｆ２７に装着されたフラッシュメモリ２７Ａに記憶する。カメラ２４は、携帯電話機１がテレビ電話として機能する際に、携帯電話機１のユーザを撮像する。
【００４２】
赤外線通信部１９は、赤外線を媒体としてデータを送受信する。例えば、ＩｒＤＡ（Ｉｎｆｒａｒｅｄ  Ｄａｔａ  Ａｓｓｏｃｉａｔｉｏｎ）規格に従って、外部の機器との間でデータを送受信する。なお、ここでは、赤外線を媒体としてデータを送受信する例を示したが、電磁波を用いた無線通信により外部の機器と通信するようにしてもよい。
【００４３】
通信Ｉ／Ｆ２６は、携帯電話機１をコンピュータと接続するためのインターフェースである。通信Ｉ／Ｆは、シリアルインターフェースであってもよいし、パラレルインターフェースであってもよい。通信Ｉ／Ｆ２６に通信ケーブルを介して外部のコンピュータが接続されると、制御部２１は外部のコンピュータと通信することが可能となる。
【００４４】
図４は、携帯電話機の制御部の機能の概要を示す機能ブロック図である。制御部２１は、設定モード切換部５１と、無線回路２２および無線ＬＡＮ回路２３を制御するための通信制御部５２と、ＥＥＰＲＯＭ３３に記憶されているアドレス帳データを表示するためのアドレス帳表示部５３と、アドレス帳データを変更するためのアドレス帳変更部５４と、アドレス帳データを追加するためのアドレス帳追加部５５と、アドレス帳データを他の装置に送信するためのアドレス帳転送部５６とを含む。
【００４５】
設定モード切換部５１は、携帯電話機１の設定モードを切り換える。設定モードは、無線回路２２および無線ＬＡＮ回路２３を能動化可能な第１設定モードと、無線回路２２のみを能動化可能な第２設定モードとを含む。設定モード切換部５１は、ＥＥＰＲＯＭ３３の設定モード記憶領域に切り換え後の設定モードを書き込む。設定モード切換部５１は、ユーザが操作キー１４に設定モードを切り換える指示を入力すると、操作キーから設定モードを切り換える指示を受け付け、設定モード記憶領域を書き換える。また、設定モード切換部５１は、通信Ｉ／Ｆ２６に接続された外部のコンピュータから予め定められた指示が入力されることを条件に、設定モード記憶領域を書き換えるようにしてもよい。
【００４６】
ここで、ＥＥＰＲＯＭに記憶されるデータについて説明する。図５は、ＥＥＰＲＯＭの記憶領域の一例を示す図である。図５を参照して、ＥＥＰＲＯＭ３３は、設定モードを記憶するための設定モード記憶領域と、アドレス帳データを記憶するためのアドレス帳データ記憶領域と、その他のデータを記憶するためのその他記憶領域とを含む。設定モード記
憶領域は、携帯電話機１が設定されている設定モードを記憶する。
【００４７】
図６は、アドレス帳データのフォーマットの一例を示す図である。図６を参照して、アドレス帳データは、識別情報と、第１情報と、第２情報との項目を含む。識別情報の項目は、通信相手を識別するための氏名である。識別情報は、氏名に限らず、通信相手を識別可能な情報であればよい。第１情報の項目は、第１のネットワークに関連する情報を含み、第１のネットワークにおいて氏名の項目で特定される人が所有する携帯電話などの機器に割当てられ、その機器を識別するための電話番号と、電子メールアドレスとを含む。第２情報は、第２のネットワークに関連する情報を含み、第２のネットワークにおいて氏名の項目で特定される人が所有する携帯電話などの機器に割当てられ、その機器を識別するための内線番号と、インスタントメッセージ番号とを含む。インスタントメッセージ番号は、第２のネットワークに接続された複数の装置が、インスタントメッセージを送受信するためのプログラムを実行する場合に、複数の装置間でデータを送受信するために相手方を特定するための番号である。
【００４８】
図４に戻って、通信制御部５２は、ＥＥＰＲＯＭ３３の設定モード記憶領域に記憶されている設定モードを読出し、読み出した設定モードによって、無線回路２２および無線ＬＡＮ回路２３を能動化するか否かを決定する。具体的には、設定モードが第１設定モードの場合には、無線回路２２および無線ＬＡＮ回路２３を能動化するが、設定モードが第２設定モードの場合には、無線回路２２を能動化するが、無線ＬＡＮ回路２３を能動化しない。したがって、携帯電話機１は、第１設定モードの場合には、第１のネットワークまたは第２のネットワークに接続された装置からの着呼を受け付け、通話が可能となり、第１のネットワークまたは第２のネットワークに接続された他の装置に発呼し、通話が可能である。また、携帯電話機１は、第１の設定モードの場合には、第１のネットワークを介して電子メールを送受信することが可能であり、第２のネットワークを介してインスタントメッセージを送受信することが可能である。
【００４９】
一方、設定モードが第２設定モードの場合には、携帯電話機１は、第１のネットワークに接続された装置からの着呼を受け付け、通話が可能となり、第１のネットワークに接続された他の装置に発呼し、通話が可能であるが、第２のネットワークに接続された装置からの着呼を受け付けることはなく、第２のネットワークに接続された他の装置に発呼することができない。また、携帯電話機１は、設定モードが第２設定モードの場合には、第１のネットワークを介して電子メールを送受信することが可能であるが、第２のネットワークを介してインスタントメッセージを送受信することができない。
【００５０】
アドレス帳表示部５３は、ユーザが操作キー１４にアドレス帳データを表示させる指示を入力すると、操作キー１４から表示指示を受け付け、ＥＥＰＲＯＭ３３に記憶されているアドレス帳データを読み出して、表示制御部３０を制御してＬＣＤ１５に表示する。アドレス帳表示部５３は、ＥＥＰＲＯＭ３３の設定モード記憶領域に記憶されている設定モードを読出し、読み出した設定モードによって、表示するアドレス帳データの項目を異ならせる。具体的には、アドレス帳表示部５３は、設定モードが第１設定モードの場合には、識別情報、第１情報および第２情報の項目を表示するが、設定モードが第２設定モードの場合には、識別情報および第１情報の項目を表示し、第２情報の項目は表示しない。第２設定モードの場合には、通信制御部５２により無線ＬＡＮ回路２３が能動化されないので、第２のネットワークに接続することができないため、第２情報の項目は不要だからである。
【００５１】
アドレス帳変更部５４は、ユーザが操作キー１４にアドレス帳データを変更する指示を入力すると、操作キーから変更後のアドレスデータを受け付け、ＥＥＰＲＯＭ３３に記憶されているアドレス帳データを変更後のアドレスデータに書き換える。アドレス帳変更部
５４は、ＥＥＰＲＯＭ３３の設定モード記憶領域に記憶されている設定モードを読出し、読み出した設定モードによって、変更するアドレス帳データの項目を異ならせる。具体的には、アドレス帳表示部５３は、設定モードが第１設定モードの場合には、識別情報、第１情報および第２情報の項目についての変更を受け付けるが、設定モードが第２設定モードの場合には、識別情報および第１情報の項目についての変更を受け付け、第２情報の項目の変更は受け付けない。第２設定モードの場合には、通信制御部５２により無線ＬＡＮ回路２３が能動化されないので、第２のネットワークに接続することができないため、第２情報の項目を変更する必要がないからである。アドレス帳データの変更を受け付ける際に、変更を受け付けるための変更受付画面がＬＣＤ１５に表示されるが、第２設定モードの場合には第２情報の項目を表示する必要がないので、ＬＣＤ１５の表示領域を有効に利用することができる。
【００５２】
なお、アドレス帳変更部５４は、第２設定モードの場合には、第２情報の項目についての変更を受け付けないが、識別情報および第１情報の項目が変更された場合に、それらに対応する第２情報を消去するようにしても良い。消去は、第２情報を例えばブランク、またはＮＵＬＬに書き換える処理を含む。なお、設定モード切換部５１により設定モードが第１設定モードから第２設定モードに切り換えられた時点で、アドレス帳データの第２情報の項目を消去するようにしてもよい。また、第２情報の項目を消去する対象となるアドレス帳データは、単一である場合に限られず、複数のアドレス帳データを対象としてもよい。例えば、アドレス帳データアドレス帳が複数のアドレス帳データをまとめてグループ化されている場合には、グループ単位に第２情報の項目を消去するようにしてもよいし、アドレス帳データに含まれる全てのアドレス帳データの第２情報の項目を消去するようにしてもよい。
【００５３】
アドレス帳追加部５５は、ユーザが操作キー１４に新たなアドレス帳データを追加する指示を入力すると、操作キーから新たなアドレス帳データを受け付け、ＥＥＰＲＯＭ３３に記憶されているアドレス帳データに新たなアドレスデータを追加して、書き込む。アドレス帳追加部５５は、ＥＥＰＲＯＭ３３の設定モード記憶領域に記憶されている設定モードを読出し、読み出した設定モードによって、追加するアドレス帳データの項目を異ならせる。具体的には、アドレス帳追加部５５は、設定モードが第１設定モードの場合には、追加するアドレス帳データの識別情報、第１情報および第２情報の項目を受け付けるが、設定モードが第２設定モードの場合には、追加するアドレス帳データの識別情報および第１情報の項目を受け付け、第２情報の項目は受け付けない。第２設定モードの場合には、通信制御部５２により無線ＬＡＮ回路２３が能動化されないので、第２のネットワークに接続することができないため、第２情報の項目を追加して記憶しておく必要がないからである。アドレス帳データの追加を受け付ける際に、追加データ受付画面がＬＣＤ１５に表示されるが、第２設定モードの場合には第２情報の項目を表示する必要がないので、ＬＣＤ１５の表示領域を有効に利用することができる。
【００５４】
アドレス帳転送部５６は、ユーザが操作キー１４にアドレス帳データを他の機器に送信する指示を入力すると、操作キーから転送指示を受け付け、ＥＥＰＲＯＭ３３に記憶されているアドレス帳データを読み出して、赤外線通信部１９または通信Ｉ／Ｆ２６に出力する。アドレス帳転送部５６は、ＥＥＰＲＯＭ３３の設定モード記憶領域に記憶されている設定モードを読出し、読み出した設定モードによって、送信するアドレス帳データの項目を異ならせる。具体的には、アドレス帳転送部５６は、設定モードが第１設定モードの場合には、識別情報、第１情報および第２情報の項目を読み出して、それらを赤外線通信部１９または通信Ｉ／Ｆ２６に出力するが、設定モードが第２設定モードの場合には、識別情報および第１情報の項目を読み出して、赤外線通信部１９または通信Ｉ／Ｆ２６に出力し、第２情報の項目は送信しない。第２設定モードの場合には、通信制御部５２により無線ＬＡＮ回路２３が能動化されないので、第２のネットワークに接続することができない
ため、第２情報の項目は不要だからである。また、第２設定モードの場合には、アドレス帳変更部５４により第２情報の項目は変更されず、アドレス帳追加部５５により第２情報の項目が追加されないため、変更前の古い第２情報の項目が送信されるのを防止するためである。なお、赤外線通信部１９または通信Ｉ／Ｆ２６が接続される転送先の外部装置が、第２情報を取り扱うことができない場合に備えて、アドレス帳転送部５６は、設定モードが第１設定モードの場合であっても識別情報および第１情報の項目を読み出して、赤外線通信部１９または通信Ｉ／Ｆ２６に出力し、第２情報の項目を送信しないようにしてもよい。
【００５５】
図７は、通信制御処理の流れの一例を示すフローチャートである。通信制御処理は、制御部２１がＲＯＭ３１に記憶されている通信制御プログラムを実行することにより、制御部２１により実行される処理である。図７を参照して、制御部２１は、第１のネットワークに接続する指示を受け付けたか否かを判断する。そのような指示を受け付けたならば処理をステップＳ０２に進め、そうでなければ処理をステップＳ０５に進める。第１のネットワークに接続する指示は、第１のネットワークに接続可能な電話機に割当てられている電話番号への発呼指示、電子メールの送信指示を含む。
【００５６】
ステップＳ０２においては、無線回路２２を制御して、第１のネットワークに接続する。そして、発呼指示であれば発呼先の電話機との間で回線を確立し、電子メールの送信指示であれば電子メールを送信する。そして、通信が終了したか否かを判断する（ステップＳ０３）。通信が終了していなければ待機状態となり、通信が終了したならば処理をステップＳ０４に進める。通信の終了は、通話の終了または、電子メールの送信完了である。次のステップＳ０４においては、ステップＳ０２において確立した回線を切断し、処理をステップＳ０５に進める。
【００５７】
ステップＳ０５においては、第２のネットワークに接続する指示を受け付けたか否かを判断する。そのような指示を受け付けたならば処理をステップＳ０６に進め、そうでなければ処理をステップＳ１１に進める。第２のネットワークに接続する指示は、第２のネットワークに接続可能な電話機に割当てられた内線番号への発呼指示、インスタントメッセージの送信指示を含む。
【００５８】
ステップＳ０６においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ０７に進めるが、第２設定モードに設定されていれば処理をステップＳ０８に進める。ステップＳ０８においては、エラー処理を実行して処理をステップＳ１１に進める。エラー処理は、第２のネットワークに接続する指示を受け付けることができないことをユーザに報知するための処理であり、例えば、ブザー音を鳴らす処理、ＬＣＤ１５にエラーメッセージを表示する処理等である。
【００５９】
ステップＳ０７においては、無線ＬＡＮ回路２３を制御して、第２のネットワークに接続する。そして、発呼指示であれば発呼先の電話機と回線を確立し、インスタントメッセージの送信指示であればインスタントメッセージを送信する。そして、通信が終了したか否かを判断する（ステップＳ０９）。通信が終了していなければ待機状態となり、通信が終了したならば処理をステップＳ１０に進める。通信の終了は、通話の終了または、インスタントメッセージの送信完了である。次のステップＳ１０においては、ステップＳ０７において確立した回線を切断し、処理をステップＳ１１に進める。
【００６０】
ステップＳ１１においては、携帯電話機１の電源をオフにする指示が受け付けられたか否かを判断し、電源をオフにする指示が受け付けられたならば処理を終了し、そうでなけ
れば処理をステップＳ０１に戻す。
【００６１】
図８は、アドレス帳データ表示変更処理の流れの一例を示すフローチャートである。アドレス帳データ表示変更処理は、制御部２１がＲＯＭ３１に記憶されているアドレス帳データ表示変更プログラムを実行することにより、制御部２１により実行される処理である。図８を参照して、制御部２１は、アドレス帳データを表示させるためのアドレス帳データ表示指示を受け付けたか否かを判断する（ステップＳ２１）。ユーザが操作キー１４にアドレス帳データ表示指示を入力すると、制御部２１は、操作キー１４からアドレス帳データ表示指示を受け付ける。アドレス帳データ表示指示を受け付けるまで待機状態となり（ステップＳ２１でＮＯ）、アドレス帳データ表示指示を受け付けたならば処理をステップＳ２２に進める。
【００６２】
ステップＳ２２においては、ＥＥＰＲＯＭ３３のアドレス帳データ記憶領域からアドレス帳データを読出す。この際、アドレス帳データが複数記憶されている場合には、複数のアドレス帳データのうちからユーザにより選択されたアドレス帳データを読み出してもよいし、複数のアドレス帳データを順に１つずつ読み出すようにしてもよい。さらに、複数のアドレス帳データを一度に読み出すようにしてもよい。
【００６３】
ステップＳ２３においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ２４に進めるが、第２設定モードに設定されていれば処理をステップＳ２５に進める。ステップＳ２４においては、ステップＳ２２において読み出したアドレス帳データの識別情報の項目と、第１情報および第２情報の項目の両者とをＬＣＤ１５に表示し、処理をステップＳ２６に進める。一方、ステップＳ２５においては、ステップＳ２２において読み出したアドレス帳データの識別情報の項目と、第１情報および第２情報の項目のうちの第１情報の項目とをＬＣＤ１５に表示し、処理をステップＳ２６に進める。第２設定モードに設定されている場合は、無線ＬＡＮ回路２３が能動化されないので、第２のネットワークに関連する第２情報の項目は携帯電話機１において使用されることはない。このため、第２情報の項目を表示しないようにして、必要な情報のみをユーザに与えることができる。また、不要な情報を表示しないことにより、ＬＣＤ１５の表示領域を有効に利用することができる。
【００６４】
ステップＳ２６においては、変更指示を受け付けたか否かを判断する。ユーザが操作キー１４に変更指示を入力すると、制御部２１は、操作キー１４から変更指示を受け付ける。変更指示を受け付けたならば処理をステップＳ２７に進め、そうでなければ処理をステップＳ２１に戻す。ステップＳ２７においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ２８に進めるが、第２設定モードに設定されていれば処理をステップＳ２９に進める。ステップＳ２８においては、ステップＳ２２において読み出したアドレス帳データの識別情報の項目と、第１情報および第２情報の項目の両者との少なくとも１つに対する変更を受け付け、処理をステップＳ３０に進める。一方、ステップＳ２９においては、ステップＳ２２において読み出したアドレス帳データの識別情報の項目と、第１情報および第２情報の項目のうちの第１情報の項目の少なくとも１つに対する変更を受け付け、処理をステップＳ３０に進める。第２設定モードに設定されている場合は、無線ＬＡＮ回路２３が能動化されないので、第２のネットワークに関連する第２情報の項目は携帯電話機１において使用されることはない。このため、第２情報の変更を受け付けないようにして、ユーザが不要な作業をしてしまうのを防止することができる。
【００６５】
ステップＳ３０においては、登録指示を受け付けたか否かを判断する。ユーザが操作キー１４に登録指示を入力すると、制御部２１は、操作キー１４から登録指示を受け付ける。登録指示を受け付けたならば処理をステップＳ３１に進め、そうでなければ処理を終了する。ステップＳ３１においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ３２に進めるが、第２設定モードに設定されていれば処理をステップＳ３３に進める。
【００６６】
ステップＳ３２においては、ステップＳ２８において受け付けた変更後のアドレス帳データで、アドレス帳データを更新する。具体的には、ステップＳ２８において受け付けた変更後のアドレス帳データの識別情報の項目と、第１情報の項目と、第２情報の項目とで、ＥＥＰＲＯＭ３３のアドレス帳データ記憶領域に記憶されている該当するアドレス帳データの識別情報の項目と、第１情報の項目と、第２情報の項目とをそれぞれ上書きする。
【００６７】
一方、ステップＳ３３においては、ステップＳ２９において受け付けた変更後のアドレス帳データで、アドレス帳データを更新する。具体的には、ステップＳ２９において受け付けた変更後のアドレス帳データの識別情報の項目と第１情報の項目とで、ＥＥＰＲＯＭ３３のアドレス帳データ記憶領域に記憶されている該当するアドレス帳データの識別情報の項目と第１情報の項目とをそれぞれ上書きする。次のステップＳ３４においては、ＥＥＰＲＯＭ３３のアドレス帳データ記憶領域に記憶されている該当するアドレス帳データの第２情報の項目を消去する。具体的には、第２情報の項目を、ブランクまたはＮＵＬＬに書き換える。
【００６８】
図９は、第１設定モードにおけるアドレス帳データ表示画面の一例を示す図である。このアドレス帳データ表示画面は、図８のステップＳ２４において、ＬＣＤ１５に表示される画面である。第１設定モードにおけるアドレス帳データ表示画面は、図６に示したアドレス帳データの全ての項目のデータが表示される。識別情報として氏名が表示され、第１情報の電話番号および電子メールアドレスが表示され、第２情報の内線番号およびインスタントメッセージ番号（ＩＭ）が表示されている。なお、図では、内線番号にＩＰ電話の電話番号としてグローバルな電話番号を示しているが、内線番号は、無線ＬＡＮシステム３００において定められた、例えば４桁の番号を用いてもよい。
【００６９】
図１０は、第２設定モードにおけるアドレス帳データ表示画面の一例を示す図である。このアドレス帳データ表示画面は、図８のステップＳ２５において、ＬＣＤ１５に表示される画面である。第２設定モードにおけるアドレス帳データ表示画面は、図６に示したアドレス帳データの項目のうち識別情報の項目と、第１情報の項目が表示される。識別情報として氏名が表示され、第１情報の電話番号および電子メールアドレスが表示されている。第２情報の内線番号およびインスタントメッセージ番号（ＩＭ）は表示されない。
【００７０】
図１１は、アドレス帳データ追加処理の流れの一例を示すフローチャートである。アドレス帳データ追加処理は、制御部２１がＲＯＭ３１に記憶されているアドレス帳データ追加プログラムを実行することにより、制御部２１により実行される処理である。図１１を参照して、制御部２１は、アドレス帳データを追加するためのアドレス帳データ追加指示を受け付けたか否かを判断する（ステップＳ４１）。ユーザが操作キー１４にアドレス帳データ追加指示を入力すると、制御部２１は、操作キー１４からアドレス帳データ追加指示を受け付ける。アドレス帳データ追加指示を受け付けるまで待機状態となり（ステップＳ４１でＮＯ）、アドレス帳データ追加指示を受け付けたならば処理をステップＳ４２に進める。
【００７１】
ステップＳ４２においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ４３に進めるが、第２設定モードに設定されていれば処理をステップＳ４５に進める。ステップＳ４３においては、アドレス帳データの識別情報の項目と、第１情報および第２情報の項目の両者との少なくとも１つを受け付け、処理をステップＳ４４に進める。ステップＳ４４においては、ステップＳ４３において受け付けたアドレス帳データをＥＥＰＲＯＭ３３のアドレス帳データ記憶領域に追加して書き込む。
【００７２】
一方、ステップＳ４５においては、アドレス帳データの識別情報の項目と、第１情報および第２情報の項目のうちの第１情報の項目のみを受け付け、処理をステップＳ４６に進める。ステップＳ４６においては、ステップＳ４５において受け付けたアドレス帳データをＥＥＰＲＯＭ３３のアドレス帳データ記憶領域に追加して書き込む。この際、ステップＳ４５においては、第２情報は受け付けられていないので、追加して書き込むアドレス帳データの第２情報の項目は、ブランクまたはＮＵＬＬが書き込まれる。第２設定モードに設定されている場合は、無線ＬＡＮ回路２３が能動化されないので、第２のネットワークに関連する第２情報は携帯電話機１において使用されることはない。このため、アドレス帳データの追加登録を受け付ける場合に、第２情報を受け付けないようにして、ユーザが不要な作業をしてしまうのを防止することができる。
【００７３】
図１２は、アドレス帳データ転送処理の流れの一例を示すフローチャートである。アドレス帳データ転送処理は、制御部２１がＲＯＭ３１に記憶されているアドレス帳データ転送プログラムを実行することにより、制御部２１により実行される処理である。図１２を参照して、制御部２１は、アドレス帳データを転送するためのアドレス帳データ転送指示を受け付けたか否かを判断する（ステップＳ５１）。ユーザが操作キー１４にアドレス帳データ転送指示を入力すると、制御部２１は、操作キー１４からアドレス帳データ転送指示を受け付ける。アドレス帳データ転送指示を受け付けるまで待機状態となり（ステップＳ５１でＮＯ）、アドレス帳データ転送指示を受け付けたならば処理をステップＳ５２に進める。
【００７４】
ステップＳ５２においては、第１設定モードに設定されているか否かを判断する。制御部２１は、ＥＥＰＲＯＭ３３の設定モード記憶領域に記憶されている設定モードを読出し、読み出した設定モードが第１設定モードか否かを判断する。第１設定モードに設定されていれば処理をステップＳ５３に進めるが、第２設定モードに設定されていれば処理をステップＳ５４に進める。ステップＳ５３においては、アドレス帳データの識別情報の項目と、第１情報および第２情報の項目の両者とを含むアドレス帳データを送信する。具体的には、ＥＥＰＲＯＭ３３のアドレス帳データ記憶領域からアドレス帳データを読み出し、読み出したアドレス帳データを赤外線通信部１９または通信Ｉ／Ｆ２６に出力し、赤外線通信部１９または通信Ｉ／Ｆ２６に送信させる。
【００７５】
ステップＳ５４においては、アドレス帳データの識別情報の項目と、第１情報および第２情報の項目のうち第１情報のみとを含むアドレス帳データを送信する。具体的には、ＥＥＰＲＯＭ３３のアドレス帳データ記憶領域からアドレス帳データを読み出し、読み出したアドレス帳データの識別情報の項目と、第１情報の項目とを赤外線通信部１９または通信Ｉ／Ｆ２６に出力し、赤外線通信部１９または通信Ｉ／Ｆ２６に送信させる。このため、第２情報の項目は送信されない。第２設定モードに設定されている場合は、無線ＬＡＮ回路２３が能動化されないので、第２のネットワークに関連する第２情報は携帯電話機１において使用されることはない。第２設定モードにおいては、アドレス帳データの変更または追加は第２情報が対象とされないので、アドレス帳データを転送する際には、第２情報を送信しないようにして、送信するデータの信頼性を高めることができる。
【００７６】
以上説明したように第１の実施の形態における携帯電話機１は、設定モード切換部５１により第１設定モードと第２設定モードとのいずれか一方に設定モードが切り換えられ、ＥＥＰＲＯＭ３３の設定モード記憶領域に設定モードが記憶される。通信制御部５２は、ＥＥＰＲＯＭ３３の設定モード記憶領域に記憶されている設定モードが第１設定モードであれば、無線回路２２および無線ＬＡＮ回路２３を能動化するので、第１のネットワークまたは第２のネットワークに接続された装置と通信が可能である。また、通信制御部５２は、ＥＥＰＲＯＭ３３の設定モード記憶領域に記憶されている設定モードが第２設定モードであれば、無線回路２２を能動化するが、無線ＬＡＮ回路２３を能動化しないので、第１のネットワークに接続された装置とのみ通信が可能である。このため、設定モードを切り換えるだけで、接続可能なネットワークを制限することができる。
【００７７】
また、アドレス帳表示部５３は、ＥＥＰＲＯＭ３３の設定モード記憶領域に記憶されている設定モードが第１設定モードであれば、アドレス帳データの第１情報の項目と第２情報の項目とを表示し、第２設定モードであれば、アドレス帳データの第１情報の項目と第２情報の項目のうち第１情報の項目のみを表示する。このため、使用形態に応じて表示するアドレス帳データの項目を異ならせて、必要な情報のみを表示することができる。
入出力することが可能な携帯通信端末を提供することができる。
【００７８】
また、アドレス帳変更部５４は、ＥＥＰＲＯＭ３３の設定モード記憶領域に記憶されている設定モードが第１設定モードであれば、アドレス帳データの第１情報の項目と第２情報の項目との変更を受け付け、変更し、第２設定モードであれば、アドレス帳データの第１情報の項目と第２情報の項目のうち第１情報の項目のみの変更を受け付け、変更する。このため、使用形態に応じてアドレス帳データの変更可能な項目を異ならせて、不必要な情報の変更作業がされるのを防止することができる。
【００７９】
また、アドレス帳追加部５５は、ＥＥＰＲＯＭ３３の設定モード記憶領域に記憶されている設定モードが第１設定モードであれば、アドレス帳データの第１情報の項目と第２情報の項目との追加を受け付け、追加して記憶し、第２設定モードであれば、アドレス帳データの第１情報の項目と第２情報の項目のうち第１情報の項目のみの追加を受け付け、追加して記憶する。このため、使用形態に応じてアドレス帳データの追加可能な項目を異ならせて、不必要な情報を追加する作業がされるのを防止することができる。
【００８０】
また、アドレス帳転送部５６は、ＥＥＰＲＯＭ３３の設定モード記憶領域に記憶されている設定モードが第１設定モードであれば、アドレス帳データの第１情報の項目と第２情報の項目とを送信し、第２設定モードであれば、アドレス帳データの第１情報の項目と第２情報の項目のうち第１情報の項目のみを送信する。このため、使用形態に応じて送信するアドレス帳データの項目を異ならせて、不必要な情報が送信されないようにして、送信するアドレス帳データの精度を高めることができる。
【００８１】
＜第２の実施の形態＞
第２の実施の形態における通信システム１０は、第２のネットワークを複数種類備える点で、第１の実施の形態における通信システム１０と異なる。以下、第１の実施の形態における通信システム１０と異なる点を主に説明する。
【００８２】
第２の実施の形態における通信システム１０は、無線ＬＡＮシステム３００と同様の構成を有し、通信プロトコルが異なる別の種類の無線ＬＡＮシステムを含む。例えば、無線ＬＡＮシステム３００が会社内に構築された第１ＬＡＮとすれば、それとは別に家庭内に構築された第２ＬＡＮが存在する場合がある。ここでは、第２のネットワークとして、第
１ＬＡＮおよび第２ＬＡＮが存在する場合を例に説明するが、第２のネットワークに含まれる無線ＬＡＮは、複数あればよく、２つに限定するものではない。第２のネットワークに含まれる無線ＬＡＮは、通信事業者が提供する無線ＬＡＮを含む。
【００８３】
第２のネットワークに含まれる第１ＬＡＮおよび第２ＬＡＮそれぞれは、携帯電話機１と無線通信するためのアクセスポイントを有するが、第１ＬＡＮで用いる通信プロトコルと、第２ＬＡＮで用いる通信プロトコルとが異なる場合がある。このため、携帯電話機１は、１つの無線ＬＡＮ回路２３を用いて、第１ＬＡＮおよび第２ＬＡＮに接続するために、それぞれに対応したアプリケーションプログラムをＥＥＰＲＯＭ３３に記憶しておき、接続時に対応するアプリケーションプログラムを起動することで、通信プロトコルの違いに対応する。ここでは、第１ＬＡＮに接続する際に起動するアプリケーションプログラムを、第１ＬＡＮ対応アプリケーションプログラムといい、第２ＬＡＮに接続する際に起動するアプリケーションプログラムを、第２ＬＡＮ対応アプリケーションプログラムという。
【００８４】
携帯電話機１は、インターネット１１５に接続されたコンピュータ１１６等から第１ＬＡＮ対応アプリケーションプログラムおよび第２ＬＡＮ対応アプリケーションプログラムをダウンロードして、ＥＥＰＲＯＭ３３に記憶している。
【００８５】
図１３は、第２の実施の形態におけるＥＥＰＲＯＭの記憶領域の一例を示す図である。図１３を参照して、図５に示した記憶領域と異なる点は、第１ＬＡＮ対応アプリケーションプログラムを記憶するための領域と、第２ＬＡＮ対応アプリケーションプログラムを記憶するための領域とが追加された点である。
【００８６】
図１４は、第２の実施の形態におけるアドレス帳データのフォーマットの一例を示す図である。図１４を参照して、図６と異なる点は、アドレス帳データの第２情報の項目が、第１ＬＡＮに対応する項目と、第２ＬＡＮに対応する項目とを含む点である。第１ＬＡＮの項目は、第２のネットワークの第１ＬＡＮに関連する情報を含み、第１ＬＡＮにおいて氏名の項目で特定される人が所有する携帯電話などの機器に割当てられた内線番号と、インスタントメッセージ番号とを含む。第２ＬＡＮの項目は、第２のネットワークの第２ＬＡＮに関連する情報を含み、第２ＬＡＮにおいて氏名の項目で特定される人が所有する携帯電話などの機器に割当てられた内線番号と、インスタントメッセージ番号とを含む。
【００８７】
通信制御部５２は、第１設定モードに設定されている場合、第１ＬＡＮに接続する指示を受け付けると、ＥＥＰＲＯＭ３３から第１ＬＡＮ対応アプリケーションプログラムを読み出し、実行する。これにより、携帯電話機１が第１ＬＡＮに接続される。また、通信制御部５２は、第１設定モードに設定されている場合、第２ＬＡＮに接続する指示を受け付けると、ＥＥＰＲＯＭ３３から第２ＬＡＮ対応アプリケーションプログラムを読み出し、実行する。これにより、携帯電話機１が第２ＬＡＮに接続される。
【００８８】
図１５は、通信制御処理の流れの一例を示す別のフローチャートである。図１５を参照して、図７に示した通信制御処理と異なる点は、ステップＳ０７に代えて、ステップＳ１０１，Ｓ１０２，Ｓ１０３，Ｓ０７ＡおよびＳ０７Ｂが追加された点である。その他の処理は、図７に示した通信制御処理と同じなのでここでは説明を繰り返さない。
【００８９】
制御部２１は、ステップＳ０６において、第１設定モードに設定されていれば処理をステップＳ１０１に進め、そうでなく第２設定モードに設定されていれば処理をステップＳ０８に進める。
【００９０】
ステップＳ１０１においては、ステップＳ０５で受け付けた接続指示が、第１ＬＡＮに
対するものか否かを判断する。第１ＬＡＮに接続する指示であれば処理をステップＳ１０２に進め、そうでなく第２ＬＡＮに接続する指示であれば処理をステップＳ１０３に進める。ステップＳ１０２においては、第１ＬＡＮ対応アプリケーションプログラムを起動する。具体的には、ＥＥＰＲＯＭ３３から第１ＬＡＮ対応アプリケーションプログラムを読み出し、実行する。そして、無線ＬＡＮ回路２３を制御して、第１ＬＡＮに接続し（ステップＳ０７Ａ）、処理をステップＳ０９に進める。一方、ステップＳ１０３においては、第２ＬＡＮ対応アプリケーションプログラムを起動する。具体的には、ＥＥＰＲＯＭ３３から第２ＬＡＮ対応アプリケーションプログラムを読み出し、実行する。そして、無線ＬＡＮ回路２３を制御して、第２ＬＡＮに接続し（ステップＳ０７Ｂ）、処理をステップＳ０９に進める。
【００９１】
第２の実施の形態における携帯電話機１においては、第１の実施の形態における携帯電話機１と同様に、アドレス帳データ表示変更処理、アドレス帳データ追加処理、アドレス帳データ転送処理が実行されるが、第２情報が、第１ＬＡＮの項目に加えて、第２ＬＡＮの項目が追加される点で異なるのみである。
【００９２】
図１６は、第１設定モードにおけるアドレス帳データ表示画面の一例を示す別の図である。第１設定モードにおけるアドレス帳データ表示画面は、図１４に示したアドレス帳データの全ての項目のデータが表示される。識別情報として氏名が表示され、第１情報の電話番号および電子メールアドレスが表示される。また、第２情報として、第１ＬＡＮ（会社ＬＡＮ）の項目の内線番号およびインスタントメッセージ番号（ＩＭ）と、第２ＬＡＮ（家庭用ＬＡＮ）の項目の内線番号およびインスタントメッセージ番号（ＩＭ）と、が表示されている。
【００９３】
なお、第１ＬＡＮに接続は、第２情報の項目のうち第１ＬＡＮの項目のみを表示するようにし、第２ＬＡＮの項目を表示しないようにしてもよい。同様に第２ＬＡＮに接続中は、第２情報の項目のうち第２ＬＡＮの項目のみを表示するようにし、第１ＬＡＮの項目を表示しないようにしてもよい。さらに、第１ＬＡＮに接続は、第２情報の項目のうち第１ＬＡＮの項目のみを変更、追加または送信するようにし、第２ＬＡＮの項目を変更、追加または送信しないようにしてもよい。同様に第２ＬＡＮに接続中は、第２情報の項目のうち第２ＬＡＮの項目のみを変更、追加または送信するようにし、第１ＬＡＮの項目を変更、追加または送信しないようにしてもよい。
【００９４】
以上説明したように、第２の実施の形態における携帯電話機１は、第１ＬＡＮおよび第２ＬＡＮ各々に対応する第１ＬＡＮアプリケーションプログラムおよび第２ＬＡＮアプリケーションプログラムをＥＥＰＲＯＭ３３に記憶し、第１設定モードに切り換えられているときに、第１ＬＡＮが選択されると、第１ＬＡＮアプリケーションプログラムを実行し、第２ＬＡＮが選択されると、第２ＬＡＮアプリケーションプログラムを実行する。このため、第１ＬＡＮと第２ＬＡＮとで通信プロトコルが異なる場合であっても、１つの無線ＬＡＮ回路２３で第１ＬＡＮと第２ＬＡＮのいずれかに接続することができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９６】
＜付記＞
（１）  前記第２のネットワークは、複数のローカルエリアネットワークを含み、
前記複数のローカルエリアネットワーク各々に対応するアプリケーションプログラムを記憶するアプリケーションプログラム記憶手段と、
前記複数のローカルエリアネットワークのうちからいずれか１つの選択を受け付ける選択受付手段と、
前記第１設定モードに切り換えられているときに、前記選択受付手段により前記複数のローカルエリアネットワークのうちからいずれか１つが選択されることに応じて、該選択されたローカルエリアネットワークに対応するアプリケーションプログラムを実行するアプリケーションプログラム起動手段と、をさらに備えた、請求項１に記載の携帯通信端末。
（２）  前記第２のネットワークは、複数のローカルエリアネットワークを含み、
前記通信先情報記憶手段が含む前記第２通信先情報を記憶する領域は、前記複数のローカルエリアネットワークにそれぞれ対応する複数種類の前記第２通信先情報を記憶し、
前記複数のローカルエリアネットワークのうちからいずれか１つの選択を受け付ける選択受付手段をさらに備え、
前記入出力制御手段は、前記第１設定モードに切り換えられており、かつ、前記選択受付手段により選択が受け付けられた場合、前記複数種類の第２通信先情報のうち前記複数のローカルエリアネットワークのうちから選択されたローカルエリアネットワークに対応する種類の前記第２通信先情報の入出力を制御する、請求項２に記載の携帯通信端末。
（３）  複数のローカルエリアネットワークのいずれか１つに接続し、該接続されたローカルエリアネットワークに接続された装置と通信するための通信手段と、前記複数のローカルエリアネットワーク各々に対応するアプリケーションプログラムを記憶するアプリケーションプログラム記憶手段とを備えた携帯通信端末で実行されるネットワーク切換方法であって、
前記複数のローカルエリアネットワークのうちからいずれか１つの選択を受け付けるステップと、
前記複数のローカルエリアネットワークのうちからいずれか１つが選択されることに応じて、該選択されたローカルエリアネットワークに対応するアプリケーションプログラムを実行するステップと、を含むネットワーク切換方法。
【符号の説明】
【００９７】
１  携帯電話機、２  表示側部、３  操作側部、１０  通信システム、１１  第１スピーカ、１２  第２スピーカ、１３  マイク、１４  操作キー、１６  マイク端子、１７  イヤホン端子、１９  赤外線通信部、２１  制御部、２２  無線回路、２３  無線ＬＡＮ回路、２４  カメラ、２６  通信Ｉ／Ｆ、２７  カードＩ／Ｆ、２７Ａ  フラッシュメモリ、２８  コーデック部、２９  切換部、３０  表示制御部、３１  ＲＯＭ、３２  ＲＡＭ、３３  ＥＥＰＲＯＭ、５１  設定モード切換部、５２  通信制御部、５３  アドレス帳表示部、５４  アドレス帳変更部、５５  アドレス帳追加部、５６  アドレス帳転送部、１００〜１０２  アクセスポイント、１１０  ＬＡＮケーブル、１１２  ＶｏＩＰサーバ、１１５  インターネット、１１６  コンピュータ、２００  携帯電話システム、２０１  基地局装置、２０２  通信網、３００  無線ＬＡＮシステム。
【図１】
2011176863.tif 000003
【図２】
2011176863.tif 000004
【図３】
2011176863.tif 000005
【図４】
2011176863.tif 000006
【図５】
2011176863.tif 000007
【図６】
2011176863.tif 000008
【図７】
2011176863.tif 000009
【図８】
2011176863.tif 000010
【図９】
2011176863.tif 000011
【図１０】
2011176863.tif 000012
【図１１】
2011176863.tif 000013
【図１２】
2011176863.tif 000014
【図１３】
2011176863.tif 000015
【図１４】
2011176863.tif 000016
【図１５】
2011176863.tif 000017
【図１６】
2011176863.tif 000018